(57)【特許請求の範囲】
【請求項１】
封止対象部を有するカバー部材と、
カバー部材に対して移動可能な状態で取り付けられ、封止対象部を覆わない開位置から封止対象部を覆う閉位置に移動することにより、封止対象部を外部に露出しないように封止する封止部材と、
を備えた遊技機用封止部材付きカバーであって、
封止部材を移動させるための操作部材が、カバー部材に設けられ、
操作部材を操作した際の操作力が、操作部材における作用部から封止部材における被作用部に伝達することによって、封止部材が移動するようにするとともに、
閉位置に移動した封止部材が閉位置で保持されるようにし、
封止部材における前記被作用部に沿った箇所のうち、封止部材が閉位置にあるときに前記作用部と前記被作用部とが接触する部分周辺に、前記被作用部を前記作用部から離反する向きに変位可能にさせる逃し部が設けられた
ことを特徴とする遊技機用封止部材付きカバー。
【請求項２】
開位置にある封止部材を覆って保護するための封止部材保護部が、カバー部材に設けられた請求項１記載の遊技機用封止部材付きカバー。
【請求項３】
封止部材が開位置にあるときに、封止部材に設けられた開位置用係合部が、カバー部材に設けられた開位置用被係合部に係合することによって、開位置にある封止部材が開位置で保持されるようにするとともに、
封止部材が閉位置にあるときに、封止部材に設けられた閉位置用係合部が、カバー部材に設けられた閉位置用被係合部に係合することによって、閉位置に移動した封止部材が閉位置で保持されるようにした
請求項１又は２記載の遊技機用封止部材付きカバー。
【請求項４】
逃し部が、封止部材における前記被作用部に沿った箇所のうち、封止部材が開位置にあるときに前記作用部と前記被作用部とが接触する部分周辺には設けられていない請求項１〜３いずれか１つに記載の遊技機用封止部材付きカバー。
【請求項５】
前記作用部が、複数の噛合歯αからなる噛合歯列部とされ、
前記被作用部が、複数の噛合歯βからなる噛合歯列部とされた
請求項１〜４いずれか１つに記載の遊技機用封止部材付きカバー。
【請求項６】
請求項１〜５いずれか１つに記載の遊技機用封止部材付きカバーを用いた遊技機。
【発明の詳細な説明】
【技術分野】
【０００１】
本発明は、遊技機における電子基板等の部品を覆うために用いられる遊技機用封止部材付きカバーと、この遊技機用封止部材付きカバーを用いた遊技機とに関する。
【背景技術】
【０００２】
遊技機は、様々な不正行為の対象となりうる。例えば、遊技機の筺体の内部には、メイン制御基板が収容されており、このメイン制御基板には、遊技機を制御するためのプログラムが記録された記憶装置（通常はＲＯＭ）が実装されているが、この記憶装置を偽造されたもの（いわゆる偽造ＲＯＭ）に差し替えるという不正行為が知られている。この種の不正行為を防止するため、遊技機の各メーカーは、メイン制御基板等の電子基板をケース（基板ケース）内に収容して封止した構造としている。
【０００３】
基板ケースの具体的な形態は、それに収容される電子基板の種類やその設置箇所等によって様々であるが、電子基板の上面側を覆う上側カバー部材と、電子基板の下面側を覆う下側カバー部材とで構成されたものが一般的である。この種の基板ケースにおいて、上側カバー部材と下側カバー部材は、ネジ等の固着具を用いて互いに固定されることが多い。しかし、上側カバー部材や下側カバー部材における前記固着具を固定した箇所が外部に露出していると、上記のような不正行為を目論む者が、痕跡を残すことなく前記固着具を取り外して基板ケースを開けることが可能になる。
【０００４】
このため、遊技機のメーカーのなかには、封止対象部（前記固着具を固定した箇所等）にキャップ型の封止部材を嵌め込んで封止対象部を封止することにより、封止部材を破壊等しない限りは、封止対象部にアクセスできないようにする対策を施しているところもある（例えば、特許文献１の図５における遮蔽キャップ５０を参照。）。しかし、キャップ型の封止部材で封止対象部を封止した基板ケースでは、封止部材を破壊して開封した後に、偽造した封止部材を封止対象部に嵌め込むことで、不正行為の痕跡を消すことが可能になるという問題があった。
【０００５】
また、これまで提案された基板ケースのなかには、封止部材をカバー部材（上記の上側カバー部材や下側カバー部材等）と別体にするのではなく、封止部材をカバー部材に組み込んだものもある。例えば、特許文献２における段落０１１４，００１５及び図３−３，３−４，３−９には、封止部材（開閉部３９０）をカバー部材（基板ケース３４０ａ）における封止対象部（開口部３５０）の近傍に移動可能な状態で取り付け、その封止部材を、封止対象部を覆わない開位置（図３−３，３−４を参照）から封止対象部を覆う閉位置（図３−９を参照）に移動させることによって、封止対象部を封止するようにした基板ケース（基板ケース３４０ａ）が記載されている。引用文献２の基板ケースは、封止部材が閉位置にあるときに、封止部材に設けられた閉位置用係合部（係止爪３８１ａ）が、カバー部材に設けられた閉位置用被係合部（係止部３８３）に係合することによって、閉位置に移動した封止部材が閉位置で保持される構造を有している。
【０００６】
しかし、特許文献２に記載された基板ケースにおいて、封止部材（開閉部３９０）は、それに直接触れて操作するものとなっていたため、閉位置にある封止部材を巧みに操作すれば（閉位置用係合部（係止爪３８２）や閉位置用被係合部（係止部３８３）等に無理な力が加わらないように操作すれば）、閉位置用係合部や閉位置用被係合部を破損等させることなく、封止部材を開位置へ移動させることが可能なものとなっていた。このため、特許文献２に記載された基板ケースは、封止部材やカバー部材に痕跡が残らない状態で開封される虞があった。
【先行技術文献】
【特許文献】
【０００７】
【特許文献１】特開２００３−３４００９２号公報
【特許文献２】特開２００９−１９５３４５号公報
【発明の概要】
【発明が解決しようとする課題】
【０００８】
本発明は、上記課題を解決するために為されたものであり、封止部材がカバー部材に対して移動可能な状態で取り付けられた遊技機用封止部材付きカバーにおいて、閉位置に保持された封止部材を開位置へと移動させにくくすることによって、遊技機に対する不正行為を行いにくくすることを目的とする。また、この遊技機用封止部材付きカバーを用いた遊技機を提供することも本発明の目的である。
【課題を解決するための手段】
【０００９】
上記課題は、
封止対象部を有するカバー部材と、
カバー部材に対して移動可能な状態で取り付けられ、封止対象部を覆わない開位置から封止対象部を覆う閉位置に移動することにより、封止対象部を外部に露出しないように封止する封止部材と、
を備えた遊技機用封止部材付きカバーであって、
封止部材を移動させるための操作部材が、カバー部材に設けられ、
操作部材を操作した際の操作力が、操作部材における作用部から封止部材における被作用部に伝達することによって、封止部材が移動するようにするとともに、
閉位置に移動した封止部材が閉位置で保持されるようにし、
封止部材における前記被作用部に沿った箇所のうち、封止部材が閉位置にあるときに前記作用部と前記被作用部とが接触する部分周辺に、前記被作用部を前記作用部から離反する向きに変位可能にさせる逃し部が設けられた
ことを特徴とする遊技機用封止部材付きカバー
を提供することによって解決される。
【００１０】
かかる構成によって、閉位置に保持された封止部材を開位置へと移動させにくくすることが可能になる。というのも、本発明の遊技機用封止部材付きカバーでは、閉位置に移動した封止部材が閉位置で保持されるようにしているため、閉位置にある封止部材を開方向（閉位置から開位置に向かう向きのこと。以下同じ。）に移動させようと操作部材に操作力を加えると、封止部材が閉方向（開位置から閉位置に向かう向きのこと。以下同じ。）の抵抗力を受けることになる。そして、封止部材における前記被作用部に沿った箇所のうち、封止部材が閉位置にあるときに前記作用部と前記被作用部とが接触する部分（以下においては、「閉位置接触部」と呼ぶことがある。）の周辺に、前記被作用部を前記作用部から離反する向きに変位可能にさせる逃し部が設けられていることから、前記被作用部は、閉位置にある封止部材を開方向に移動させようとしたときの前記抵抗力を受けて逃し部側へと変位する。この変位の結果、前記作用部から前記被作用部に操作力が上手く伝達されないようになり、封止部材を開方向へ移動させることができない状態となるからである。
【００１１】
本発明の遊技機用封止部材付きカバーにおいては、開位置にある封止部材を覆って保護するための封止部材保護部を、カバー部材に設けると好ましい。
【００１２】
というのも、かかる構成を採用することによって、封止対象部に不正にアクセスされていないにもかかわらず、封止対象部に不正にアクセスされたと誤認されないようにすることが可能になるからである。すなわち、遊技機用封止部材付きカバーの運搬時や組付作業時等において、封止部材が他の部材に衝突する等して傷つくことがあると、その傷が不正アクセスの痕跡と誤認される虞があるところ、遊技機用封止部材付きカバーの運搬時や組付作業時等における封止部材（封止部材は、遊技機用封止部材付きカバーの運搬時や組付作業時等においては、通常、開位置にある。）を封止部材保護部で覆うことで、封止部材が傷付かないようにすることが可能になる。
【００１３】
本発明の遊技機用封止部材付きカバーにおいては、封止部材が開位置にあるときに、封止部材に設けられた開位置用係合部が、カバー部材に設けられた開位置用被係合部に係合することによって、開位置にある封止部材が開位置で保持されるようにすることも好ましい。また、封止部材が閉位置にあるときに、封止部材に設けられた閉位置用係合部が、カバー部材に設けられた閉位置用被係合部に係合することによって、閉位置に移動した封止部材が閉位置で保持されるようにすることも好ましい。
【００１４】
かかる構成のうち、開位置用係合部及び開位置用被係合部に関する構成によって、遊技機用封止部材付きカバーの運搬時や組付作業時等に、開位置にある封止部材がガタついて他の部材に衝突等しないようにすることが可能になる。したがって、封止対象部に不正にアクセスされていないにもかかわらず、封止対象部に不正にアクセスされたと誤認されないようにすることも可能になる。開位置用係合部と開位置用被係合部との係合は、遊技機用封止部材付きカバーの運搬時や組付作業時等の振動で外れず、且つ、操作部材を操作して封止部材を閉方向に移動させようとした際には容易に外れる程度のものとされる。開位置用係合部及び開位置用被係合部に係る構成は、上記の封止部材保護部を用いる構成を採用する場合に特に好適に採用することができる。また、閉位置用係合部と閉位置用被係合部に関する構成によって、封止部材を閉位置に一旦移動させた後は、封止部材を閉位置から容易に動かすことができない状態とするだけでなく、閉位置にある封止部材がガタついて他の部材に衝突等しないようにすることも可能になる。
【００１５】
本発明の遊技機用封止部材付きカバーにおいては、封止部材における前記被作用部に沿った箇所のうち、封止部材が開位置にあるときに前記作用部と前記被作用部とが接触する部分（以下においては、「開位置接触部」と呼ぶことがある。）の周辺には逃し部を設けないようにすることも好ましい。
【００１６】
かかる構成によって、開位置にある封止部材を閉方向に移動させやすくすることができる。というのも、閉位置接触部の周辺だけでなく、開位置接触部の周辺にも逃し部を設けていると、閉位置にある封止部材を開方向に移動させようとした場合だけでなく、開位置にある封止部材を閉方向に移動させようとした場合にも、前記被作用部が逃し部側へと変位しやすくなる虞があるところ、開位置接触部の周辺に逃し部を設けないことで、開位置にある封止部材を閉方向に移動させようとしても、前記被作用部が逃し部側へと変位しないようにすることが可能になるからである。開位置接触部の周辺に逃し部を設けない構成は、上記の開位置用係合部及び開位置用被係合部に係る構成を採用する場合に特に好適に採用することができる。
【００１７】
本発明の遊技機用封止部材付きカバーにおいては、前記作用部を、複数の噛合歯αからなる噛合歯列部（以下、「噛合歯列部Ａ」と表記する。）とし、前記被作用部を、複数の噛合歯βからなる噛合歯列部（以下、「噛合歯列部Ｂ」と表記する。）とすることも好ましい。
【００１８】
かかる構成によって、閉位置にある封止部材を開方向に移動させようとした際に、噛合歯αが噛合歯βにつかえて、噛合歯αが噛合歯列部Ｂを逃し部側へ押圧した状態となるようにすることができる。したがって、噛合歯列部Ｂを逃し部側（噛合歯αと噛合歯βとの噛合が浅くなる側）へと変位させ、噛合歯αが噛合歯βに対して滑るようにして、噛合歯αから噛合歯βに操作力が上手く伝達されないようにすることで、封止部材を開方向へ移動させることができない状態を発現しやすくすることが可能になる。
【００１９】
また、上記課題は、上述した本発明の遊技機用封止部材付きカバーを用いた遊技機を提供することによっても解決される。
【００２０】
かかる構成によって、不正行為を行いにくい遊技機を提供することが可能になる。本発明の遊技機に係る構成は、回胴式遊技機やパチンコ遊技機等の各種遊技機において採用することができる。
【図面の簡単な説明】
【００２１】
【図１】回胴式遊技機を前方から見た状態を示した図である。
【図２】前扉が開かれた回胴式遊技機を左前斜め上方から見た状態を示した図である。
【図３】制御基板ユニットを分解した状態を左前斜め上方から見た状態で示した図である。
【図４】遊技機用封止部材付きカバーを左前斜め上方から見た状態を示した図である。
【図５】遊技機用封止部材付きカバーにおける封止対象部の周辺を、ｙ−ｚ面に平行な平面で切断して右前斜め上方から見た状態を示した拡大図である。
【図６】封止部材が開位置にあるときの遊技機用封止部材付きカバーにおける封止対象部の周辺を、封止部材保護部を切除して前方から見た状態を示した拡大図である。
【図７】封止部材が開位置にあるときの遊技機用封止部材付きカバーにおける封止対象部の周辺を、図６におけるＺ１−Ｚ１面で切断した状態を示した拡大断面図である。
【図８】封止部材が閉位置にあるときの遊技機用封止部材付きカバーにおける封止対象部の周辺を、封止部材保護部を切除して前方から見た状態を示した拡大図である。
【図９】封止部材が閉位置にあるときの遊技機用封止部材付きカバーにおける封止対象部の周辺を、図８におけるＺ１−Ｚ１面で切断した状態を示した拡大断面図である。
【図１０】遊技機用封止部材付きカバーを左後斜め上方から見た状態を示した図である。
【図１１】遊技機用封止部材付きカバーにおけるカバー部材の封止部材収容部に封止部材を収容している様子を左後斜め上方から見た状態を示した図である。
【図１２】遊技機用封止部材付きカバーにおけるカバー部材の裏蓋固定部に裏蓋を固定している様子を左後斜め上方から見た状態を示した図である。
【図１３】裏蓋を左前斜め上方から見た状態を示した図である。
【図１４】封止部材を左前斜め上方から見た状態を示した図である。
【図１５】封止部材を前方から見た状態を示した図である。
【図１６】操作部材を左前斜め上方から見た状態を示した図である。
【図１７】操作部材を後方から見た状態を示した図である。
【発明を実施するための形態】
【００２２】
本発明の遊技機用封止部材付きカバーの好適な実施態様について、図面を用いてより具体的に説明する。以下においては、説明の便宜上、本発明の遊技機用封止部材付きカバーを回胴式遊技機において採用する場合を例に挙げて説明するが、本発明の遊技機用封止部材付きカバーは、パチンコ遊技機等の他の遊技機においても採用することができる。
【００２３】
１．  回胴式遊技機
図１は、回胴式遊技機１０を前方から見た状態を示した図である。以下においては、説明の便宜上、図中のｘ軸方向正側を「左」とし、ｘ軸方向負側を「右」とし、ｙ軸方向正側を「後」とし、ｙ軸方向負側を「前」とし、ｚ軸方向正側を「上」とし、ｚ軸方向負側を「下」として説明する。しかし、これら向きを表す語句は、各部の相対的な位置関係を表すために用いたものに過ぎず、各部の絶対的な位置関係を指定するものではない。ｘ軸、ｙ軸及びｚ軸の向きは、図１以外の他の図面においても共通である。
【００２４】
回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００２５】
この回胴式遊技機１０は、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２６】
図２は、前扉１０ｂが開かれた回胴式遊技機１０を左前斜め上方から見た状態を示した図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。本実施態様において、遊技機筺体の内部には、制御基板ユニット３０、液晶ユニット３２、電源ユニット３３、コネクタユニット３４、リールユニット３５及びホッパーユニット３６等が納められている。
【００２７】
制御基板ユニット３０は、役抽選や入賞判定等、遊技における基本的な制御を行うメイン制御基板（電子基板）と、発光ランプや音声による演出等、遊技における演出に関する制御を行うサブ制御基板（電子基板）とが格納された遊技機用基板ユニットである。液晶ユニット３２は、液晶ディスプレイ１６（図１を参照）に表示される映像による演出に関する制御を行う映像基板（電子基板）が格納された遊技機用基板ユニットである。電源ユニット３３は、回胴式遊技機１０における各機器に電力を供給する電源基板（電子基板）が格納された遊技機用基板ユニットである。コネクタユニット３４は、特定の機器に接続されたケーブルを仲介する仲介基板（電子基板）が格納された遊技機用基板ユニットである。リールユニット３５は、リール１３，１４，１５の回転をそれぞれ独立して制御するリール制御基板（電子基板）が格納された遊技機用基板ユニットを備えたユニットである。ホッパーユニット３６は、メダル投入口１１（図１を参照）に投入されたメダルを回収するとともに、制御基板ユニット３０からの信号に基づいてメダル払出口１２（図１を参照）へメダルを送出する制御を行うホッパー制御基板（電子基板）が格納された遊技機用基板ユニットを備えたユニットである。
【００２８】
これらのユニットに格納された各種電子基板のうち、例えば、制御基板ユニット３０に格納されたメイン制御基板には、回胴式遊技機１０における基本的な制御を行うためのプログラムが記録された記憶装置（ＲＯＭ）が搭載されている。この記憶装置が偽造されたものに交換されてしまうと、特定の操作を行うと必ず大当たりになるようにする等、悪意のある遊技者に不正な遊技を許してしまう。このため、制御基板ユニット３０は、メイン制御基板を封止できる構造とする必要がある。
【００２９】
本実施態様においては、図３に示すように、制御基板ユニット３０を、メイン制御基板を格納するためのメイン制御基板用ケース３０ａと、サブ制御基板を格納するためのサブ制御基板用ケース３０ｂと、ホルダ３０ｃと、カバー３０ｄとで構成している。図３は、制御基板ユニット３０を分解した状態を左前斜め上方から見た状態で示した図である。この制御基板ユニット３０は、メイン制御基板用ケース３０ａとサブ制御基板用ケース３０ｂとをホルダ３０ｃの前面側に取り付けた後、カバー３０ｄをメイン制御基板用ケース３０ａ及びサブ制御基板用ケース３０ｂの前面側に宛がった状態でカバー３０ｄをホルダ３０ｃに固定する構造となっている。ホルダ３０ｃに対するカバー３０ｄの固定方法は、特に限定されない。本実施態様においては、カバー３０ｄに設けたネジ挿通穴１０１，１０２，１０３にネジ３０ｅを挿通し、それぞれのネジ３０ｅの先端部をホルダ３０ｃに設けられたネジ螺合部３０ｃ１，３０ｃ２，３０ｃ３に螺合することによって、カバー３０ｄをホルダ３０ｃに固定するようにしている。
【００３０】
本発明に係る遊技機用封止部材付きカバーは、上記の制御基板ユニット３０のカバー３０ｄとして好適に採用することができる。以下においては、説明の便宜上、制御基板ユニット３０のカバー３０ｄとして採用する場合を例に挙げて、本発明の遊技機用封止部材付きカバーを説明する。しかし、本発明の遊技機用封止部材付きカバーの用途は、制御基板ユニット３０のカバー３０ｄに限定されない。本発明の遊技機用封止部材付きカバーは、遊技機において不正なアクセスの対象となり得る部分を覆う各種のカバーとして好適に採用することができる。
【００３１】
２．遊技機用封止部材付きカバー
図４は、遊技機用封止部材付きカバー１００を左前斜め上方から見た状態を示した図である。同図における拡大部分は、封止部材保護部１１４を切除した状態で示している。図５は、遊技機用封止部材付きカバー１００における封止対象部Ｃの周辺を右前斜め上方から見た状態を示した拡大図である。同図では、カバー部材１１０等を、ｙ−ｚ面に平行で、ネジ挿通穴１０１の中心を通る平面で切断した状態で示している。図６は、封止部材１２０が開位置にあるときの遊技機用封止部材付きカバー１００における封止対象部Ｃの周辺を前方から見た状態を示した拡大図である。同図では、封止部材保護部１１４（図４を参照）を切除した状態で示している。図７は、封止部材１２０が開位置にあるときの遊技機用封止部材付きカバー１００における封止対象部Ｃの周辺を、図６におけるＺ１−Ｚ１面で切断した状態を示した拡大断面図である。図８は、封止部材１２０が閉位置にあるときの遊技機用封止部材付きカバー１００における封止対象部Ｃの周辺を前方から見た状態を示した拡大図である。同図では、封止部材保護部１１４（図４を参照）を切除した状態で示している。図９は、封止部材１２０が閉位置にあるときの遊技機用封止部材付きカバー１００における封止対象部Ｃの周辺を、図８におけるＺ１−Ｚ１面で切断した状態を示した拡大断面図である。図１０は、遊技機用封止部材付きカバー１００を左後斜め上方から見た状態を示した図である。図１１は、遊技機用封止部材付きカバー１００におけるカバー部材１１０の封止部材収容部１１１ａに封止部材１２０を収容している様子を左後斜め上方から見た状態を示した図である。図１２は、遊技機用封止部材付きカバー１００におけるカバー部材１１０の裏蓋固定部１１１ｂに裏蓋１１３を固定している様子を左後斜め上方から見た状態を示した図である。図１０〜１２においては、側壁部１１２を破断して示している。図１３は、裏蓋１１３を左前斜め上方から見た状態を示した図である。図１４は、封止部材１２０を左前斜め上方から見た状態を示した図である。図１５は、封止部材１２０を前方から見た状態を示した図である。図１６は、操作部材１３０を左前斜め上方から見た状態を示した図である。図１７は、操作部材１３０を後方から見た状態を示した図である。
【００３２】
遊技機用封止部材付きカバー１００は、図４に示すように、封止対象部Ｃを有するカバー部材１１０と、カバー部材１１０に対して移動可能な状態で取り付けられた封止部材１２０と、封止部材１２０を移動させるための操作部材１３０とを備えたものとなっており、封止部材１２０を、封止対象部Ｃを覆わない開位置（図４（ａ））から封止対象部Ｃを覆う閉位置（図４（ｂ））に移動させることにより、封止対象部Ｃを外部に露出しないように封止することが可能なものとなっている。
【００３３】
封止部材１２０で封止する封止対象部Ｃは、カバー部材１１０における封止する必要がある箇所、すなわち、不正なアクセスを制限する必要がある箇所であれば特に限定されない。封止対象部Ｃの具体例としては、カバー部材１１０を他の部材に固定するためにネジ留めした箇所等が挙げられる。本実施態様においては、ネジ挿通穴１０１の奥部Ｃ１と、ネジ挿通穴１０２の奥部Ｃ２とを、封止対象部Ｃとしている。すなわち、ネジ挿通穴１０１，１０２の奥部Ｃ１，Ｃ２に容易にアクセスできてしまうと、ネジ３０ｅ（図３）を外して遊技機用封止部材付きカバー１００をホルダ３０ｃ（図３）から取り外すことも容易となり、メイン制御基板等に対する不正アクセスの危険性が高まるところ、ネジ挿通穴１０１，１０２を封止部材１２０で覆うことで、ネジ挿通穴１０１，１０２の奥部Ｃ１，Ｃ２への不正アクセスを防止している。
【００３４】
以下、本実施態様の遊技機用封止部材付きカバー１００を構成する各部材について、詳しく説明する。以下においては、説明の便宜上、主に、封止対象部Ｃ１側の構成を説明し、封止対象部Ｃ２側の構成については説明を割愛するが、封止対象部Ｃ２側においても封止対象部Ｃ１側と略同様の構成を採用することができる。
【００３５】
２．１  カバー部材
カバー部材１１０は、それによって覆われた部材等（本実施態様においては、メイン制御基板用ケース３０ａ（図３）及びサブ制御基板用ケース３０ｂ（図３））を不正アクセスや衝撃等から保護するためのものとなっている。カバー部材１１０の具体的な形状は、その保護対象となる部材の形状等によっても異なり、特に限定されない。本実施態様において、カバー部材１１０は、図４に示すように、前面視矩形状を為す前壁部１１１と、前壁部１１１の縁部から後向きに起立して設けられた側壁部１１２とで構成している。カバー部材１１０には、ネジ３０ｅ（図３）を挿通するためのネジ挿通穴１０１，１０２，１０３のほか、図示省略のケーブルやコネクタを通すための開口部等が形成されている。
【００３６】
カバー部材１１０には、封止対象部Ｃ１（ネジ挿通穴１０１の奥部）を封止するための封止部材１２０が取り付けられている。封止部材１２０は、カバー部材１１０に対して移動可能な状態で取り付けられる。封止部材１２０の移動態様は、特に限定されないが、通常、スライド移動（直線に沿ったスライド移動だけでなく、円弧等の曲線に沿ったスライド移動をも含むものとする。）とされる。本実施態様において、スライド部材１２０は、左右方向（ｘ軸方向）にスライド移動するようになっている。
【００３７】
カバー部材１１０に対する封止部材１２０の取付態様は、特に限定されない。しかし、封止部材１２０がカバー部材１１０の外面に露出した状態で取り付けられていると、封止部材１２０を破壊してカバー部材１１０から取り外し、不正アクセスを行った後、封止部材１２０が元々あった箇所に偽造品の封止部材１２０を取り付けることによって、不正アクセスの証拠隠滅を図ることが可能になる虞がある。このため、封止部材１２０は、カバー部材１１０の内側に埋め込んだ状態で取り付けると好ましい。これにより、カバー部材１１０を破壊等しない限りは、封止部材１２０をカバー部材１１０から取り外すことができないようにすることが可能になる。実施態様においては、以下の構成を採用することによって、カバー部材１１０の内側に封止部材１２０を埋め込んだ状態としている。
【００３８】
すなわち、図１１及び図１２に示すように、カバー部材１１０の前壁部１１１に封止部材収容部１１１ａを設けており、この封止部材収容部１１１ａに封止部材１２０を収容するようにしている。前壁部１１１における封止部材収容部１１１ａに隣接する区画には、操作部材１３０を収容するための操作部材収容部１１１ｃを設けている。封止部材収容部１１１ａの左右方向（ｘ軸方向）の幅は、封止部材１２０の左右方向の幅よりも広くなっている。このため、封止部材２０を封止部材収容部１１１ａ内で左右方向にスライド移動させることが可能となっている。
【００３９】
封止部材収容部１１１ａ及び操作部材収容部１１１ｃの前面側は、封止部材保護部１１４によって覆われて塞がれた状態となっている。封止部材保護部１１４は、カバー部材１１０の本体と一体的に連続した状態で設けられている。封止部材保護部１１４におけるネジ挿通穴１０１（封止対象部Ｃ１）と前後方向（ｙ軸方向）に重なる部分には、ネジ挿通穴１０１にネジ３０ｅ（図３）を挿入するための開口部１１４ａが形成されている。このため、封止部材１２０は、開口部１１４ａに重なる部分を除いて、カバー部材１１０の前面側に露出しないようになっている。封止部材保護部１１４における操作部材収容部１１１ｃと重なる部分には、操作部材１３０の頭部１３２（図１６）をカバー部材１１０の前面側へ露出させるための露出窓１１４ｂが設けられている。
【００４０】
一方、封止部材収容部１１１ａの後面側は、裏蓋１１３で覆われる。裏蓋１１３には、ネジ挿通穴１０１（封止対象部Ｃ１）が設けられている。裏蓋１１３は、カバー部材１１０の本体とは別体で形成されており、前壁部１１１に形成された裏蓋固定部１１１ｂに嵌め込んだ状態で固定するようになっている。裏蓋１１３は、接着や溶着等、固定対象箇所に対して一体的に固化される方法で固定すると好ましい。これにより、封止部材１２０をカバー部材１１０の内側に埋め込んだ状態とし、カバー部材１１０を破壊等しなければ、封止部材１２０を取り外すことができないようにすることが可能になる。このため、不正アクセスの痕跡を消しにくくすることができる。
【００４１】
裏蓋１１３には、図１３に示すように、操作部材支持穴１１３ａと、開位置用被係合部１１３ｂと、閉位置用被係合部１１３ｃも設けられている。このうち、操作部材支持穴１１３ａは、操作部材収容部１１１ｃに収容された操作部材１３０の軸部１３１（図１１）を回転可能な状態で支持するための部分となっている。
【００４２】
また、開位置用被係合部１１３ｂは、図７に示すように、封止部材１２０が開位置にあるときに、封止部材１２０に設けられた開位置用係合部１２２が係合するための部分となっている。開位置用係合部１２２が開位置用被係合部１１３ｂに係合することによって、開位置にある封止部材１２０が開位置で保持される。本実施態様においては、開位置用被係合部１１３ｂにおける被係合面１１３ｂ１（開位置にある封止部材１２０を閉方向Ｖ１にスライド移動させようとした際に開位置用係合部１２２によって押圧される面）を、封止部材１２０のスライド方向（ｘ軸方向）に対して垂直とならないように傾斜させている。このため、開位置用被係合部１１３ｂに対する開位置用係合部１２２の係合は、遊技機用封止部材付きカバー１００を持ち運ぶ際の振動等では外れないようになっているものの、操作部材１３０（図６）を操作して開位置にある封止部材１２０を閉方向Ｖ１へスライド移動させようとした際には容易に外れるようになっている。
【００４３】
さらに、閉位置用被係合部１１３ｃは、図９に示すように、封止部材１２０が閉位置にあるときに、封止部材１２０に設けられた閉位置用係合部１２２（本実施態様においては、後述するように、開位置用係合部と閉位置用係合部とを共用しているため、開位置用係合部と閉位置用係合部とには同じ符号が付されている。）が係合するための部分となっている。閉位置用係合部１２２が閉位置用被係合部１１３ｃに係合することによって、閉位置にある封止部材１２０が閉位置で保持される。本実施態様においては、閉位置用被係合部１１３ｃにおける被係合面１１３ｃ１（閉位置にある封止部材１２０を開方向にスライド移動させようとした際に閉位置用係合部１２２によって押圧される面）を、封止部材１２０のスライド方向（ｘ軸方向）に対して略垂直に形成している。このため、操作部材１３０を操作して、閉位置にある封止部材１２０を開方向Ｖ３へスライド移動させようとしても、閉位置用被係合部１１３ｃに対する閉位置用係合部１２２の係合が、容易には外れないようになっている。
【００４４】
２．２  封止部材
封止部材１２０は、図４（ａ）に示すように、封止対象部Ｃ１を覆わない開位置から、図４（ｂ）に示すように、封止対象部Ｃ１を覆う閉位置に移動することにより、封止対象部Ｃ１を外部に露出しないように封止するための部材となっている。封止部材１２０は、開位置から閉位置に移動するのであれば、その移動態様を限定されないが、本実施態様においては、既に述べたように、左右方向（ｘ軸方向）にスライド移動するようにしている。封止部材１２０の形態は、閉位置にあるときに封止対象部Ｃ１を覆うことができるのであれば、特に限定されない。本実施態様において、封止部材１２０は、図１４及び図１５に示すように、前面視矩形状を為す板状部材によって構成している。
【００４５】
封止部材１２０には、操作部材１３０からの力を受けるための被作用部として、複数の噛合歯βからなる噛合歯列部Ｂを設けている。噛合歯列部Ｂの噛合歯βは、操作部材１３０（図１６）における噛合歯列部Ａを構成する噛合歯αに噛み合わせるための部分となっている。噛合歯列部Ｂは、噛合歯列部Ａに噛み合わせることができるのであれば、それを設ける場所を特に限定されない。本実施態様においては、封止部材１２０の下端面に沿って噛合歯列部Ｂを直線状に設けている。
【００４６】
噛合歯列部Ｂを構成するそれぞれの噛合歯βの形態は、噛合歯αの形態等によって異なり、特に限定されないが、通常、三角形状とされる。本実施態様においては、それぞれの噛合歯βにおける一対の噛合面のうち、一方の噛合面（操作部材１３０を閉方向へ操作した際に噛合歯αによって押圧される側の面）を、封止部材１２０の移動面（封止部材１２０を通る、ｘ−ｚ面に平行な面）に対して略垂直に形成する一方、他方の噛合面（操作部材１３０を開方向へ操作した際に噛合歯αによって押圧される面。図１５に示した各噛合歯βにおける網掛けハッチングで示した部分を参照。）を、封止部材１２０の移動面に対して非垂直となるように傾斜させている。このため、操作部材１３０を閉方向へ操作する際には、噛合歯αから噛合歯βへ力が加わりやすい一方、操作部材１３０を開方向に操作する際には、噛合歯αから噛合歯βへ力が加わりにくくなっている。
【００４７】
封止部材１２０における噛合歯列部Ｂに沿った箇所には、逃し部１２１を設けている。逃し部１２１は、噛合歯列部Ｂが逃し部１２１側に外力を受けたときに、噛合歯列部Ｂの逃し部１２１側への変位を許容させるための部分となっている。すなわち、噛合歯列部Ｂに沿った箇所に逃し部１２１を設けることによって、封止部材１２０における逃し部１２１に沿った箇所（図１５における網掛けハッチングで示した部分Ｄ）を逃し部１２１側へ変形しやすくしている。
【００４８】
逃し部１２１は、噛合歯列部Ｂの変位を許容できるのであれば、その形態を特に限定されない。例えば、封止部材１２０に設けた開口部や切欠部等、封止部材１２０における成形材料が存在しない部分（空白部）を、逃し部１２１とすることができる。本実施態様においては、封止部材１２０の下縁に沿って設けたスリットを逃し部１２１としている。当該スリットは、封止部材１２０を厚さ方向（ｙ軸方向）に貫通した状態で設けている。しかし、逃し部１２１は、封止部材１２０を厚さ方向に貫通した状態で設ける必要はなく、封止部材１２０における他の部分よりも薄く形成した薄肉部の状態で設けることもできる。
【００４９】
逃し部１２１は、封止部材１２０における噛合歯列部Ｂに沿った箇所の全体に設けてもよい。しかし、本実施態様においては、図８に示すように、封止部材１２０が閉位置にあるときに噛合歯αと噛合歯βとが噛み合う部分（閉位置接触部Ｅ１）の周辺には逃し部１２１を設けているものの、図６に示すように、封止部材１２０が開位置にあるときに噛合歯αと噛合歯βとが噛み合う部分（開位置接触部Ｅ２）の周辺には逃し部１２１を設けていない。このため、閉位置にある封止部材１２０を開方向へ移動させようとした際には、噛合歯列部Ｂが逃し部１２１側へと変位しやすくする一方、開位置にある封止部材１２０を閉方向へ移動させようとした際には、噛合歯列部Ｂが逃し部１２１側へと変位しにくい状態となっている。
【００５０】
また、封止部材１２０には、係合部１２２が設けられている。この係合部１２２は、封止部材１２０が開位置にあるとき（図７を参照）には、カバー部材１１０の開位置用被係合部１１３ｂに係合する一方、封止部材１２０が閉位置にあるとき（図９を参照）には、カバー部材１１０の閉位置用被係合部１１３ｃに係合する部分となっている。換言すると、係合部１２２は、開位置用係合部（封止部材１２０が開位置にあるときに開位置用被係合部１１３ｂに係合する部分）と閉位置用係合部（封止部材１２０が閉位置にあるときに閉位置用被係合部１１３ｃに係合する部分）とを集約した部分となっている。本実施態様のように、開位置用被係合部１１３ｂと閉位置用被係合部１１３ｃとを別の場所に独立して設けた場合には、開位置用係合部と閉位置用係合部とを同じ係合部１２２に集約することができる。しかし、これは、飽くまで一例であり、開位置用係合部と閉位置用係合部は、別の場所に独立して設けてもよい。開位置用係合部と閉位置用係合部とを独立して設ける場合には、開位置用被係合部１１３ｂと閉位置用被係合部１１３を、同じ被係合部に集約することもできる。
【００５１】
係合部１２２は、開位置用被係合部１１３ｂ及び閉位置用被係合部１１３ｃに係合可能であれば、その個数や形態を特に限定されない。本実施態様においては、図１５に示すように、係合部１２２を、２個の係合部（第一係合部１２２ａ及び第二係合部１２２ｂ）によって構成している。第一係合部１２２ａと第二係合部１２２ｂはいずれも、封止部材１２０の後面側に突出する板状突起の形態で設けている。第一係合部１２２ａ及び第二係合部１２２ｂは、それぞれ、封止部材１２０に設けられた第一開口部１２３ａ及び第二開口部１２３ｂの内側に支持されている。
【００５２】
係合部１２２のうち、第二係合部１２２ｂは、その基端側の両端部のみで第二開口部１２３ｂの内周部に支持された状態となっている。換言すると、第二係合部１２２ｂは、その基端側の両端部に設けられた脆弱部１２４のみで、封止部材１２０の本体と繋がった状態となっている。このように、第二係合部１２２を支持する部分を脆弱に形成したことにより、閉位置にある封止部材１２０を開方向へスライド移動しようとした際には、閉位置用被係合部１１３ｃの被係合面１１３ｃ１から第二係合部１２２に加わる外力ｆ（図９）に耐えられずに、脆弱部１２４が破壊されるようになっている。これにより、不正アクセスが試みられた痕跡をより確実に残すことが可能となっている。
【００５３】
第二係合部１２２ｂを支持する部分だけでなく、第一係合部１２２ａを支持する部分も脆弱に形成してもよい。しかし、第一係合部１２２ａと第二係合部１２２ｂとの両方を脆弱に支持すると、閉位置にある封止部材１２０を開方向へスライド移動しようとした際に、第一係合部１２２ａと第二係合部１２２ｂとのいずれもが封止部材１２０の本体から簡単にもげ落ちてしまい、封止部材１２０を開方向へスライド移動させることが可能な状態となってしまう。このため、本実施態様において、第一係合部１２２ａは、封止部材１２０の本体に対して強固に支持させている。具体的には、第一係合部１２２ａの基端側全体を、第一開口部１２３ａの内周部に繋げた状態としている。このように、第一係合部１２２ａと第二係合部１２２ｂとで支持態様を変えることによって、不正アクセスが試みられた際の痕跡の残りやすさと封止部材１２０の開けにくさとを両立させることが可能となっている。
【００５４】
ところで、封止部材１２０における、封止部材１２０が閉位置にあるときに封止対象部Ｃ（図８）に重なる箇所（封止対象部重複箇所）は、その周囲の箇所よりも脆弱に形成してもよい。これにより、正規の作業として遊技機用封止部材付きカバー１００を取り外す必要が生じた場合に、封止部材１２０における封止対象部重複箇所を容易に破壊できるようにすることが可能になる。したがって、ネジ３０ｅ（図３）を容易に取り外すことが可能になる。一方、不正アクセスの目的で、封止部材１２０における封止対象部重複箇所が破壊された場合には、その破壊痕から不正アクセスが為されたことを容易に認識することができる。封止部材１２０における封止対象部重複箇所を脆弱に形成する方法は、特に限定されない。例えば、封止部材１２０における封止対象部重複箇所に十字状の切込みを形成したり、封止部材１２０における封止対象部重複箇所を他の箇所よりも厚みの小さな薄肉部としたりすることによって、封止部材１２０における封止対象部重複箇所を脆弱に形成することができる。
【００５５】
２．３  操作部材
操作部材１３０は、封止部材１２０を開位置から閉位置へと移動させるためのものとなっている。操作部材１３０の形態は、工具や手等で操作することによって封止部材１２０を移動できるのであれば、特に限定されない。本実施態様においては、図１６に示すように、軸部１３１と、軸部１３１の基端側に設けられた頭部１３２とからなるボルト状の部材を操作部材１３０としている。軸部１３１は、裏蓋１１３（カバー部材１１０）に設けられた操作部材支持穴１１３ａ（図１１）に挿入されて回転可能な状態で支持される。一方、頭部１３２は、封止部材保護部１１４（カバー部材１１０）に設けられた露出窓１１４ｂ（図１１）に挿入される。このため、操作部材１３０の頭部１３２は、図５に示すように、その前面（ｙ軸方向負側を向く面）がカバー部材１１０の前面側に露出した状態とされる。頭部１３２の前面には、操作穴１３２ａが設けられている。操作穴１３２ａは、ドライバーの先端部を挿し込むための部分となっており、本実施態様においては、前面視「＋」（プラス）状に形成している。したがって、プラスドライバーで操作部材１３０をカバー部材１１０の前面側から操作することで、操作部材１３０を回転操作することができるようになっている。
【００５６】
操作部材１３０には、封止部材１２０における被作用部（噛合歯列部Ｂ）に力を作用させるための作用部として、複数の噛合歯αからなる噛合歯列部Ａを設けている。噛合歯列部Ａの噛合歯αは、封止部材１２０（図１５）における噛合歯列部Ｂを構成する噛合歯βに噛み合わせるための部分となっている。噛合歯列部Ａは、噛合歯列部Ｂに噛み合わせることができるのであれば、それを設ける場所を特に限定されない。本実施態様においては、操作部材１３０における軸部１３１と頭部１３２との間に位置する中間部１３３の外周部に噛合歯列部Ａを環状に設けている。これにより、操作部材１３０に加えられた操作力（回転力）を封止部材１２０に伝達し、封止部材１２０をスライド移動させることが可能となっている。噛合歯列部Ａは、ラックアンドピニオン機構におけるピニオンとしての機能を発揮するようになっている。これに対し、噛合歯列部Ｂは、ラックアンドピニオン機構におけるラックとしての機能を発揮するようになっている。
【００５７】
噛合歯列部Ａを構成するそれぞれの噛合歯αの形態は、噛合歯βの形態等によって異なり、特に限定されないが、通常、三角形状とされる。本実施態様においては、それぞれの噛合歯αにおける一対の噛合面のうち、一方の噛合面（操作部材１３０を閉方向へ操作した際に噛合歯βを押圧する面）を、封止部材１２０の移動面（封止部材１２０を通る、ｘ−ｚ面に平行な面）に対して略垂直に形成する一方、他方の噛合面（操作部材１３０を開方向へ操作した際に噛合歯βを押圧する面。図１７に示した各噛合歯αにおける網掛けハッチングで示した部分を参照。）を、封止部材１２０の移動面に対して非垂直となるように傾斜させている。このため、操作部材１３０を閉方向に操作する際には、噛合歯αから噛合歯βへ力が加わりやすい一方、操作部材１３０を開方向に操作する際には、噛合歯αから噛合歯βへ力が加わりにくくなっている。
【００５８】
３．使用方法
上述した遊技機用封止部材付きカバー１００の使用方法について説明する。
【００５９】
遊技機用封止部材付きカバー１００の工場出荷時においては、図４（ａ）に示すように、封止部材１２０が開位置にあり、封止対象部Ｃ（ネジ挿通穴１０１，１０２）が遊技機用封止部材付きカバー１００の前面側に露出した状態となっている。このように、封止部材１２０が開位置にある状態（開状態）では、図７に示すように、開位置用係合部（係合部１２２）が開位置用被係合部１１３ｂに係合した状態となっている。このため、封止部材１２０が開位置で保持されるようになっており、遊技機用封止部材付きカバー１００を運搬する際等に生じる振動程度では、封止部材１２０が動かないようになっている。ただし、既に述べた通り、開位置用被係合部１１３ｂの被係合面１１３ｂ１は、封止部材１２０の移動方向に対して垂直とならないように傾斜させているため、封止部材１２０を閉方向へ移動させようとした際には、係合部１２２と開位置用被係合部１１３ｂとの係合が容易に外れるようになっている。
【００６０】
続いて、遊技機用封止部材付きカバー１００を所望の場所に固定する。本実施態様においては、図３に示すように、メイン制御基板用ケース３０ａ及びサブ制御基板用ケース３０ｂが保持されたホルダ３０ｃの前面側に遊技機用封止部材付きカバー１００を固定する。ホルダ３０ｃに対する遊技機用封止部材付きカバー１００の固定は、開状態にある遊技機用封止部材付きカバー１００における封止対象部Ｃ（ネジ挿通穴１０１，１０２）とネジ挿通穴１０３とにそれぞれネジ３０ｅを挿通することによって行う。
【００６１】
遊技機用封止部材付きカバー１００をホルダ３０ｃに固定すると、封止対象部Ｃを封止する。封止対象部Ｃの封止は、開位置（図６）にある封止部材１２０を閉位置（図８）まで移動させ、封止対象部Ｃを封止部材１２０で覆うことによって行う。本実施態様においては、操作部材１３０の操作穴１３２ａにドライバーの先端部を嵌め込んで、操作部材１３０を閉方向Ｖ２（図６）に回転操作することで、封止部材１２０を閉方向Ｖ１へスライド移動させる。封止部材１２０が閉位置まで移動すると、図９に示すように、閉位置用係合部（係合部１２２）が閉位置用被係合部１１３ｃに係合する。このため、封止部材１２０が閉位置で保持されるようになっている。
【００６２】
ネジ挿通穴１０１，１０２だけでなく、ネジ挿通穴１０３（図３）の封止を行うこともできる。これにより、遊技機用封止部材付きカバー１００をホルダ３０ｃからさらに取り外しにくくすることができる。ただし、本実施態様においては、ネジ挿通穴１０３の周辺に、封止部材１２０に相当する部材が設けられていない。このため、ネジ挿通穴１０３の封止は、ネジ挿通穴１０３に図示省略の嵌込型の封止部材（封止キャップ）を嵌め込むこと等によって行うとよい。
【００６３】
以上の手順によってホルダ３０ｃに固定された遊技機用封止部材付きカバー１００は、痕跡を残さずにホルダ３０ｃから取り外すことが非常に困難なものとなっており、ホルダ３０ｃから不正に取り外された場合には、その事実を発見しやすいものとなっている。すなわち、遊技機用封止部材付きカバー１００をホルダ３０ｃから取り外そうとすると、封止部材１２０を開位置へ移動させ、封止対象部Ｃ（ネジ挿通穴１０１，１０２）に挿通されたネジ３０ｅを取り外す必要がある。しかし、封止部材１２０が閉位置にあるときには、図９に示すように、係合部１２２（閉位置用係合部）が閉位置用被係合部１１３ｃに係合しているため、封止部材１２０は、開方向Ｖ３へ移動しにくい状態となっている。
【００６４】
加えて、図８に示すように、封止部材１２０における噛合歯列部Ｂに沿った箇所には、逃し部１２１が設けられているため、封止部材１２０が閉位置にあるときに操作部材１３０を開方向Ｖ４へ回転操作したとしても、噛合歯列部Ｂが逃し部１２１側へと変位するようになっている。すなわち、噛合歯βは、噛合歯αから押圧力Ｆを受けるところ、この押圧力Ｆの垂直成分Ｆ１（封止部材１２０の移動方向に対して垂直な成分）によって噛合歯列部Ｂが逃し部１２１へ押されることで、噛合歯列部Ｂが逃し部１２１側へと変位するようになっている。
【００６５】
加えて、噛合歯αにおける前記他方の噛合面（操作部材１３０を開方向へ操作した際に噛合歯βを押圧する面）と、噛合歯βにおける前記他方の噛合面（操作部材１３０を開方向へ操作した際に噛合歯αによって押圧される面）とを、封止部材１２０の移動面（封止部材１２０を通る、ｘ−ｚ面に平行な面）に対して非垂直に傾斜させているため、操作部材１３０を開方向に操作する際には、噛合歯αと噛合歯βとが、封止部材１２０の移動面に垂直な方向（ｙ軸方向）で互いに離反する向きに変位するようになっており、噛合歯αから噛合歯βへ力が加わりにくくなっている。
【００６６】
このため、封止部材１２０が閉位置にあるときに操作部材１３０を開方向Ｖ４へ回転操作したとしても、噛合歯αと噛合歯βとの噛合いが浅くなって、噛合歯αが噛合歯βに対して滑り、噛合歯αから噛合歯βに操作力が上手く伝達されないようになっている。すなわち、封止部材１２０が閉位置にあるときに操作部材１３０を開方向Ｖ４へ回転操作したとしても、噛合歯列部Ａが噛合歯列部Ｂに対して空回りし、封止部材１２０が閉位置で保持されたままの状態が維持されるようになっている。また、開口部１１４ａを通じて封止部材１２０を直接的に開方向へ押圧した場合等には、第二係合部１２２ｂが閉位置用被係合部１１３ｃから受ける外力ｆによって、脆弱部１２４（図１５）が破損する等、封止部材１２０やその周辺の部材に痕跡が残るようになっている。このように、本実施態様の遊技機用封止部材付きカバー１００は、閉位置に保持された封止部材１２０を開方向へ移動させることが非常に困難なものとなっており、封止部材１２０やカバー部材１１０を破壊等しない限りは、封止対象部Ｃにアクセスすることが非常に困難なものとなっている。
【符号の説明】
【００６７】
１０      回胴式遊技機
１０ａ    筺体本体
１０ｂ    前扉
１０ｂ１  リール窓
１１      メダル投入口
１２      メダル払出口
１３      第一リール（リール）
１４      第二リール（リール）
１５      第三リール（リール）
１６      液晶ディスプレイ
１７      スピーカー
１８      マックスベットボタン
１９      シングルベットボタン
２０      スタートレバー
２１      第一ストップボタン（ストップボタン）
２２      第二ストップボタン（ストップボタン）
２３      第三ストップボタン（ストップボタン）
２４      チャンスボタン
２５      払戻しボタン
３０      制御基板ユニット
３０ａ    メイン制御基板用ケース
３０ｂ    サブ制御基板用ケース
３０ｃ    ホルダ
３０ｃ１  ネジ螺合部
３０ｃ２  ネジ螺合部
３０ｃ３  ネジ螺合部
３０ｄ    カバー
３０ｅ    ネジ
３２      液晶ユニット
３３      電源ユニット
３４      コネクタユニット
３５      リールユニット
３６      ホッパーユニット
１００      遊技機用封止部材付きカバー
１０１      ネジ挿通穴
１０２      ネジ挿通穴
１０３      ネジ挿通穴
１１０      カバー部材
１１１      前壁部
１１１ａ    封止部材収容部
１１１ｂ    裏蓋固定部
１１１ｃ    操作部材収容部
１１２      側壁部
１１３      裏蓋
１１３ａ    操作部材支持穴
１１３ｂ    開位置用被係合部
１１３ｂ１  被係合面
１１３ｃ    閉位置用被係合部
１１３ｃ１  被係合面
１１４      封止部材保護部
１１４ａ    開口部
１１４ｂ    露出窓
１２０      封止部材
１２１      逃し部
１２２      係合部（開位置用係合部及び閉位置用係合部）
１２２ａ    第一係合部
１２２ｂ    第二係合部
１２３ａ    第一開口部
１２３ｂ    第二開口部
１２４      脆弱部
１３０      操作部材
１３１      軸部
１３２      頭部
１３２ａ    操作穴
１３３      中間部
【要約】
【課題】
封止部材を開きにくくした遊技機用封止部材付きカバーを提供する。
【解決手段】
封止部材１２０が封止対象部Ｃを覆わない開位置から覆う閉位置に移動することが可能な状態でカバー部材１１０に取り付けられた遊技機用封止部材付きカバー１００において、封止部材１２０を移動させるための操作部材１３０をカバー部材１１０に設け、操作部材１３０を操作した際の操作力が作用部（噛合歯列部Ａ）から被作用部（噛合歯列部Ｂ）に伝達することによって封止部材１２０が移動するようにするとともに、閉位置に移動した封止部材１２０が閉位置で保持されるようにし、封止部材１２０における前記被作用部に沿った箇所のうち、封止部材１２０が閉位置にあるときに前記作用部と前記被作用部とが接触する部分周辺に、前記被作用部を前記作用部から離反する向きに変位可能にさせるための逃し部１２１を設けた。
【選択図】  図８【図１】
0005876964.tif 000002
【図２】
0005876964.tif 000003
【図３】
0005876964.tif 000004
【図４】
0005876964.tif 000005
【図５】
0005876964.tif 000006
【図６】
0005876964.tif 000007
【図７】
0005876964.tif 000008
【図８】
0005876964.tif 000009
【図９】
0005876964.tif 000010
【図１０】
0005876964.tif 000011
【図１１】
0005876964.tif 000012
【図１２】
0005876964.tif 000013
【図１３】
0005876964.tif 000014
【図１４】
0005876964.tif 000015
【図１５】
0005876964.tif 000016
【図１６】
0005876964.tif 000017
【図１７】
0005876964.tif 000018